(57)【要約】【課題】保守・点検作業時における乗りかごの昇降を確実に防止して、作業員の安全確保を確実なものとする。【解決手段】つり合い重り２をピットに締結させて乗りかごの昇降を機械的に停止させる昇降停止手段を設ける。昇降停止手段は、例えば、ピット側に固着された締結ロープ２１とつり合い重り２に固着された係合部材２２とで構成する。そして、締結ロープ２１の先端に設けられたフック２１ａを係合部材２２に係合させることで、つり合い重り２を締結ロープ２１を介してピットに締結させる。【選択図】      図２
2004155523.tif 000002
【特許請求の範囲】
【請求項１】
乗りかごとつり合い重りとを主索で連結し、前記主索を巻上機の駆動で送り操作することで、前記乗りかご及び前記つり合い重りを昇降路内で昇降させるエレベータ装置において、
前記つり合い重りを前記昇降路の下部に締結させて前記乗りかごの昇降を機械的に停止させる昇降停止手段を設けたこと
を特徴とするエレベータ装置。
【請求項２】
一端側が前記昇降路の下部に固着されていると共に、他端側にフックが設けられた締結ロープと、
前記つり合い重りに固着された係合部材とを備え、
前記締結ロープのフックを前記係合部材に係合させることで、前記つり合い重りを前記昇降路の下部に締結させること
を特徴とする請求項１に記載のエレベータ装置。
【請求項３】
一端側が前記つり合い重りに固着されていると共に、他端側にフックが設けられた締結ロープと、
前記昇降路の下部に固着された係合部材とを備え、
前記締結ロープのフックを前記係合部材に係合させることで、前記つり合い重りを前記昇降路の下部に締結させること
を特徴とする請求項１に記載のエレベータ装置。
【請求項４】
前記乗りかごの昇降を電気的に停止させる安全スイッチを備え、
前記つり合い重りを前記昇降路の下部に締結させないときは、前記締結ロープのフックで前記安全スイッチを非動作状態に保持すると共に、前記締結ロープのフックを前記係合部材に係合させて前記つり合い重りを前記昇降路の下部に締結させるときに、これと連動させて前記安全スイッチを動作状態にし、前記乗りかごの昇降を機械的及び電気的に停止させること
を特徴とする請求項２又は３に記載のエレベータ装置。
【発明の詳細な説明】
【０００１】
【発明の属する技術分野】
本発明は、主索で連結された乗りかごとつり合い重りとが昇降路内を昇降するエレベータ装置に関し、特に、保守・点検作業時等に乗りかごの昇降を確実に停止させる技術に関する。
【０００２】
【従来の技術】
エレベータ装置の保守・点検作業は、作業員が機械室や昇降路内に入り込んで行うのが一般的であり、特に、作業員が昇降路内に入り込んで作業を行う場合には、作業員の安全確保が極めて重要となる。このため、エレベータ装置には、通常、保守・点検作業時における作業員の安全確保を図るための保守安全装置が各種設けられている。
【０００３】
例えば、作業員が昇降路下部のピット内に入り込んで作業を行う場合の安全確保のために、ピットへの出入り口付近には、ピット安全スイッチが設けられている。そして、作業員は、このピット安全スイッチを動作させて、乗りかごの昇降を電気的に停止させた上でピット内に入り込み、保守・点検作業を行うようになっている。
【０００４】
【発明が解決しようとする課題】
ところで、近年では、これまで機械室内に設置されていた各機器を昇降路内に設置するようにして、機械室を廃止し、建屋スペースの有効利用を実現可能とした、いわゆる機械室レスエレベータが提案され、広く普及されるに至っている。このような機械室レスエレベータでは、昇降路内に多くの機器が設置されているため、保守・点検作業時には、作業員が昇降路内に入り込んで作業を行う機会が必然的に多くなる。
【０００５】
このため、保守・点検作業時における作業員の安全確保がこれまで以上に重要となってきており、ピット安全スイッチの押し忘れや、万が一の誤操作等が生じた場合であっても、乗りかごが昇降路内を昇降することがないようにして、作業員の安全確保を確実に図れるようにすることが望まれている。
【０００６】
本発明は、以上のような従来の実情に鑑みて創案されたものであって、保守・点検作業時には、乗りかごの昇降を確実に防止して、作業員の安全確保を確実に図れるようにしたエレベータ装置を提供することを目的としている。
【０００７】
【課題を解決するための手段】
本発明に係るエレベータ装置は、乗りかごとつり合い重りとを主索で連結し、この主索を巻上機の駆動で送り操作することで、乗りかご及びつり合い重りを昇降路内で昇降させるものであり、つり合い重りを昇降路の下部に締結させて乗りかごの昇降を機械的に停止させる昇降停止手段を設けたことを特徴としている。
【０００８】
このエレベータ装置では、例えば保守・点検作業時に作業員が昇降路内に入り込んで作業を行う場合には、昇降停止手段によってつり合い重りを昇降路の下部に締結させることで、乗りかごの昇降が確実に停止されるので、作業員の安全が十分に確保されることになる。
【０００９】
【発明の実施の形態】
以下、本発明の実施の形態を図面を参照して詳細に説明する。
【００１０】
（第１の実施形態）
本発明を適用したエレベータ装置の一例の全体構成を図１に概略的に示す。この図１に示すエレベータ装置は、いわゆる機械室レスエレベータとして構成されているものであり、乗りかご１やつり合い重り２が昇降する昇降路３の上部に、機械室が設けられていない。そして、従来、機械室内に配設されていた各種機器は、昇降路３内の適所に配設されている。
【００１１】
乗りかご１とつり合い重り２とは、主索としてのワイヤロープ４により連結されている。ワイヤロープ４は、その一端側が昇降路３上部に固定されたロープヒッチ５に締結されており、その中途部が乗りかご１の下部に設けられたかご下シーブ６に掛け渡されている。更に、ワイヤロープ４の中途部は、昇降路３内の上部に設置された巻上機７に掛け渡されて、他端側がつり合い重り２に締結されている。
【００１２】
乗りかご１は、乗客を目的階床の乗場へと搬送するものであり、乗場扉８に連動させてかご扉１ａを開放したときに、乗客が当該乗りかご１内に出入できるようになっている。また、つり合い重り２は、乗りかご１との間で重量バランスを保つためのものであり、乗りかご１の自重を若干上回る重量の重りで構成されている。
【００１３】
このような構造のエレベータ装置では、巻上機７の駆動によりワイヤロープ４を送り操作することによって、乗りかご１とつり合い重り２とが重量バランスを保ちながら、昇降路３内を互いに逆方向に昇降する。すなわち、巻上機７の駆動によりワイヤロープ４を乗りかご１側へと送り操作すると、その送り操作量に応じて、乗りかご１が昇降路３内にて下降すると共につり合い重り２が昇降路３内にて上昇する。逆に、巻上機７の駆動によりワイヤロープ４をつり合い重り２側へと送り操作すると、その送り操作量に応じて、つり合い重り２が昇降路３内にて下降すると共に乗りかご１が昇降路３内にて上昇する。
【００１４】
そして、このエレベータ装置では、乗客による乗場呼びやかご呼びに応じて巻上機７を駆動制御し、ワイヤロープ４の送り操作量を調整することによって、乗りかご１及びつり合い重り２の移動量が調整されて、乗りかご１が目的階床の乗場へと移動するようになっている。
【００１５】
昇降路３の下部には、ピットと呼ばれる空間が設けられている。このピット内には、乗りかご１やつり合い重り２が何らかの要因で最下階の乗場を越えて更に下降したときに、乗りかご１やつり合い重り２の下端部を弾性的に支持してその衝撃を吸収するためのバッファ９や、各種の機器（例えば制御盤）１０等が設置されている。また、最下階の乗場扉８の近傍には、保守・点検作業時に作業員がピット内に入り込んで作業を行う際の安全確保のためのピット安全スイッチ１１が設けられている。このピット安全スイッチ１１は、作業員が最下階の乗場扉８を開放させてピット内に入り込むときに操作される。そして、このピット安全スイッチ１１が動作すると、電気的な安全回路が確立されて巻上機７に対する給電が遮断され、乗りかご１やつり合い重り２の昇降が電気的に停止されるようになっている。
【００１６】
また、本発明を適用したエレベータ装置では、特に、作業員がピット内に入り込んで保守・点検作業等を行う際に、つり合い重り２をピットの底面等に締結させて、乗りかご１及びつり合い重り２の昇降を機械的に停止させる昇降停止手段が設けられている。以下、この昇降停止手段の具体的な一構成例について、図２を参照して説明する。
【００１７】
本例の昇降停止手段は、図２（Ａ）及び図２（Ｂ）に示すように、ピット側に固着された締結ロープ２１と、つり合い重り２に固着された係合部材２２とから構成される。
【００１８】
締結ロープ２１は、その基端側がピット底面に設置されたつり合い重り用ベース１２に固着され、その先端側にはフック２１ａが取り付けられている。つり合い重り用ベース１２上には、上述したバッファ９や、つり合い重り２の移動をガイドするためのガイドレール１３等が固定されている。また、つり合い重り用ベース１２上には、通常運転時に締結ロープ２１のフック２１ａを収納するフック収納ケース２３が設けられている。そして、このフック収納ケース２３内には、昇降停止手段と連動して動作される安全スイッチ２４が配設されている。
【００１９】
この安全スイッチ２４は、上述したピット安全スイッチ１１と同様に、電気的な安全回路を確立させて、乗りかご１やつり合い重り２の昇降を電気的に停止させるためのものである。すなわち、この安全スイッチ２４は、図２（Ａ）に示すように、通常運転時において締結ロープ２１のフック２１ａがフック収納ケース２３に収納されている状態においては、フック２１ａに押圧されて非動作状態が保持される。そして、作業員がピット内に入り込んで保守・点検作業を行う際に、図２（Ｂ）に示すように、締結ロープ２１のフック２１ａがフック収納ケース２３から取り出されると、このフック２１ａによる押圧が解除されて動作状態とされ、安全回路を確立させて、乗りかご１やつり合い重り２の昇降を電気的に停止させる。
【００２０】
一方、係合部材２２は、締結ロープ２１のフック２１ａが係合可能な形状とされ、つり合い重り２の下部に固着されている。具体的には、この係合部材２２は、例えば半円のリング状に成形され、曲線部分をつり合い重り２の下端から突出させた状態で、つり合い重り２の下部に固着されている。そして、この突出した曲線部分に締結ロープ２１のフック２１ａを掛け止めできるようになっている。
【００２１】
以上のように構成される昇降停止手段では、通常運転時においては、図２（Ａ）に示すように、締結ロープ２１のフック２１ａが係合部材２２に係合されることなく、フック収納ケース２３に収納されている。したがって、この状態では、つり合い重り２は昇降路２内を自由に昇降でき、乗りかご１も昇降路２内を自由に昇降できる。また、このとき、フック収納ケース２３内に配設された安全スイッチ２４が締結ロープ２１のフック２１ａによって押圧され、非動作状態が保持されるので、電気的にも乗りかご１やつり合い重り２の昇降が可能な状態となっている。
【００２２】
一方、作業員がピット内に入り込んで保守・点検作業を行う際には、図２（Ｂ）に示すように、締結ロープ２１のフック２１ａがフック収納ケース２３から取り出されて、つり合い重り２に固着された係合部材２２に係合される。これにより、つり合い重り２が締結ロープ２１を介してピットに締結された状態となり、つり合い重り２の昇降及び乗りかご１の昇降が、機械的に停止されることになる。また、このとき、フック収納ケース２３内に配設された安全スイッチ２４は、締結ロープ２１のフック２１ａによる押圧が解除されて動作状態とされるので、電気的な安全回路が確立されて、乗りかご１やつり合い重り２の昇降が電気的にも停止状態とされる。
【００２３】
ここで、本発明を適用したエレベータ装置において、作業員がピット内に入り込んで保守・点検作業を行う際の手順について説明する。
【００２４】
ピット内で保守・点検作業を行う場合、作業員は、まず、乗りかご１を最上階付近に停止させて、つり合い重り２を昇降路３下部のピット近傍に位置させる。そして、最下階の乗場の乗場扉８を開放して、ピット安全スイッチ１１を操作する。これにより、電気的な安全回路が確立されて、乗りかご１やつり合い重り２の昇降が電気的に停止されることになる。
【００２５】
次に、作業員は、最下階の乗場から昇降路３下部のピット内に入り込んで、締結ロープ２１のフック２１ａをフック収納ケース２３から取り出し、このフック２１ａをつり合い重り２に固着された係合部材２２に係合させる。これにより、つり合い重り２が締結ロープ２１を介してピットに締結された状態となり、つり合い重り２や乗りかご１の昇降が機械的に停止されることになる。このとき、締結ロープ２１のフック２１ａをフック収納ケース２３から取り出すことに伴って、安全スイッチ２４が動作状態とされるので、仮に作業員がピットに入り込む前にピット安全スイッチ１１を操作し忘れたとしても、安全スイッチ２４の動作によって電気的な安全回路が確立されて、乗りかご１やつり合い重り２の昇降が電気的に停止される。
【００２６】
以上のようにして、乗りかご１やつり合い重り２の昇降を電気的にも機械的にも停止状態とした上で、作業員は、ピット内に配設された機器１０等に対する各種の保守・点検作業を行う。これにより、作業員の作業中における安全性は十分に確保されることになる。
【００２７】
ピット内に配設された機器１０等に対する各種の保守・点検作業が終了すると、作業員は、締結ロープ２１のフック２１ａとつり合い重り２に固着された係合部材２２との係合を解除して、締結ロープ２１のフック２１ａをフック収納ケース２３に収納する。このとき、締結ロープ２１のフック２１ａによって安全スイッチ２４が押圧されることで、安全スイッチ２４は非動作状態とされる。換言すると、締結ロープ２１のフック２１ａをフック収納ケース２３に収納するまでは、安全スイッチ２４が動作したままであり、乗りかご１やつり合い重り２は電気的に昇降が停止された状態が維持される。したがって、つり合い重り２をピットに締結させた状態で誤って運転を再開させようとしても、乗りかご１やつり合い重り２が昇降動作することはなく、つり合い重り２をピットに締結させた状態で昇降動作させたために各部材の破損を招くといった不都合も、未然に回避されることになる。
【００２８】
締結ロープ２１のフック２１ａをフック収納ケース２３に収納し、つり合い重り２のピットに対する締結状態を解除したら、作業員は、ピット内から最下階の乗場へと脱出して、ピット安全スイッチ１１を非動作状態に切り替える。これにより、乗りかご１及びつり合い重り２が、電気的にも機械的にも昇降可能な状態とされ、通常運転に復帰する。
【００２９】
以上説明したように、本発明を適用したエレベータ装置では、つり合い重り２をピットに締結させて乗りかご１及びピット２の昇降を機械的に停止させる昇降停止手段が設けられているので、作業員がピット内に入り込んで、ピット内に配設された機器１０等に対する保守・点検作業を行う際に、作業員の安全を確実に確保することができる。
【００３０】
また、昇降停止手段は、ピット側に固着された締結ロープ２１のフック２１ａを、つり合い重り２に固着された係合部材２２に係合させるとで、つり合い重り２を締結ロープ２１を介してピットに締結させるといった極めて簡単な構成となっているので、装置コストの大幅な上昇を招くこともない。
【００３１】
更に、このような昇降停止手段と連動して動作する安全スイッチ２４がピット安全スイッチ１１とは別に設けられているので、仮にピット安全スイッチ１１の操作が忘れられた場合であっても、乗りかご１及びつり合い重り２の電気的な昇降停止状態を確実なものとし、作業員の安全確保をより確実に行うことができる。
【００３２】
（第２の実施形態）
次に、本発明を適用したエレベータ装置が備える昇降停止手段の他の例について、図３を参照して説明する。なお、エレベータ装置全体の基本構成は、図１に示した第１の実施形態のものと同様であるので、ここでは図示及び詳細な説明を省略する。
【００３３】
本例の昇降停止手段は、図３（Ａ）及び図３（Ｂ）に示すように、つり合い重り２に固着された締結ロープ３１と、ピット側に固着された係合部材３２とから構成される。すなわち、本例の昇降停止手段は、締結ロープ３１及び係合部材３２の配置が、上述した第１の実施形態のものとは逆になっている。
【００３４】
締結ロープ３１は、その基端側がつり合い重り２の下部に固着され、その先端側にはフック３１ａが取り付けられている。また、つり合い重り２下部のフレーム部分には、通常運転時に締結ロープ３１のフック３１ａを収納するフック収納ケース３３が設けられている。そして、このフック収納ケース３３内には、昇降停止手段と連動して動作される安全スイッチ３４が配設されている。
【００３５】
この安全スイッチ３４は、図３（Ａ）に示すように、通常運転時において締結ロープ３１のフック３１ａがフック収納ケース３３に収納されている状態においては、フック３１ａに押圧されて非動作状態が保持される。そして、作業員がピット内に入り込んで保守・点検作業を行う際に、図３（Ｂ）に示すように、締結ロープ３１のフック３１ａがフック収納ケース３３から取り出されると、このフック３１ａによる押圧が解除されて動作状態とされ、安全回路を確立させて、乗りかご１やつり合い重り２の昇降を電気的に停止させる。
【００３６】
一方、係合部材３２は、締結ロープ３１のフック３１ａが係合可能な形状とされ、ピット底面に設置されたつり合い重り用ベース１２に固着されている。具体的には、この係合部材３２は、例えば半円のリング状に成形され、曲線部分をつり合い重り用ベース１２上に突出させた状態で、つり合い重り用ベース１２に固着されている。そして、この突出した曲線部分に締結ロープ３１のフック３１ａを掛け止めできるようになっている。なお、つり合い重り用ベース１２上には、この係合部材３２の他、上述したバッファ９や、つり合い重り２の移動をガイドするためのガイドレール１３等が固定されている。
【００３７】
以上のように構成される昇降停止手段では、通常運転時においては、図３（Ａ）に示すように、締結ロープ３１のフック３１ａが係合部材３２に係合されることなく、フック収納ケース３３に収納されている。したがって、この状態では、つり合い重り２は昇降路２内を自由に昇降でき、乗りかご１も昇降路２内を自由に昇降できる。また、このとき、フック収納ケース３３内に配設された安全スイッチ３４が締結ロープ３１のフック３１ａによって押圧され、非動作状態が保持されるので、電気的にも乗りかご１やつり合い重り２の昇降が可能な状態となっている。
【００３８】
一方、作業員がピット内に入り込んで保守・点検作業を行う際には、図３（Ｂ）に示すように、締結ロープ３１のフック３１ａがフック収納ケース３３から取り出されて、ピット底面のつり合い重り用ベース１２に固着された係合部材３２に係合される。これにより、つり合い重り２が締結ロープ３１を介してピットに締結された状態となり、つり合い重り２の昇降及び乗りかご１の昇降が、機械的に停止されることになる。また、このとき、フック収納ケース３３内に配設された安全スイッチ３４は、締結ロープ３１のフック３１ａによる押圧が解除されて動作状態とされるので、電気的な安全回路が確立されて、乗りかご１やつり合い重り２の昇降が電気的にも停止状態とされる。
【００３９】
以上説明したように、本例の昇降停止手段も、つり合い重り２に固着された締結ロープ３１のフック３１ａを、ピット側に固着された係合部材３２に係合させるとで、つり合い重り２を締結ロープ３１を介してピットに締結させるといった極めて簡単な構成となっているので、装置コストの大幅な上昇を招くことなく、保守・点検作業時における作業員の安全確保を確実なものとすることができる。
【００４０】
また、このような昇降停止手段と連動して動作する安全スイッチ３４がピット安全スイッチ１１とは別に設けられているので、仮にピット安全スイッチ１１の操作が忘れられた場合であっても、乗りかご１及びつり合い重り２の電気的な昇降停止状態を確実なものとし、作業員の安全確保をより確実に行うことができる。
【００４１】
なお、以上は、昇降路３の上部に機械室が設けられていない、いわゆる機械室レスエレベータに本発明を適用した例について説明したが、本発明は、機械室を有するエレベータ装置に対しても有効に適用可能である。すなわち、機械室を有するエレベータ装置であっても、作業員が昇降路やピット内に入り込んで各種機器に対する保守・点検作業を行う場合もあり、このような場合に、上述したような昇降停止手段によりつり合い重りを昇降路の下部に締結させることによって、作業員の安全確保をより確実なものとすることができる。
【００４２】
【発明の効果】
本発明に係るエレベータ装置によれば、保守・点検作業時等に乗りかごの昇降を確実に停止させることができ、昇降路内で作業する作業員の安全確保を確実なものとすることができる。
【図面の簡単な説明】
【図１】本発明を適用したエレベータ装置の全体構成を概略的に示す図。
【図２】前記エレベータ装置が備える昇降停止手段の一例を示す図であり、（Ａ）は締結ロープのフックをフック収納ケースに収納した状態を示す要部拡大図、（Ｂ）は締結ロープのフックを係合部材に係合させた状態を示す要部拡大図。
【図３】前記エレベータ装置が備える昇降停止手段の他の例を示す図であり、（Ａ）は締結ロープのフックをフック収納ケースに収納した状態を示す要部拡大図、（Ｂ）は締結ロープのフックを係合部材に係合させた状態を示す要部拡大図。
【符号の説明】
１  乗りかご
２  つり合い重り
３  昇降路
４  ワイヤロープ
７  巻上機
２１  締結ロープ
２１ａ  フック
２２  係合部材
２４  安全スイッチ
３１  締結ロープ
３１ａ  フック
３２  係合部材
３４  安全スイッチ
【図１】
2004155523.tif 000003
【図２】
2004155523.tif 000004
【図３】
2004155523.tif 000005